(57)【要約】      （修正有）【課題】電車内での着座時やオフィス内での着座時等に、膝を閉じた状態を維持できる開脚防止具、及び共に用いるひざ掛けを提供する。【解決手段】開脚防止具１は、２個の湾曲した板材２の端部同士をバンド部材３で連結して構成される。板材の下部を、着席時の太ももの下に挟み込んで使用する。着席者の自重により板材２がズレることが防止される。板材の上部はバンド部材により連結されることから、脚が開かないように力を入れなくても、両足が開くことを防止できる。また、ひざ掛けは、布体の上部に袋部を設け、その袋部に開脚防止具を緩挿取付け／取りはずし自在となるよう構成される。足にかけて着用すれば、ひざ掛けによる保温効果を得ると共に開脚防止具を使用していることを他人に知られることを防げるという利点も有する。【選択図】図１
0003185251.tif 000002
【実用新案登録請求の範囲】
【請求項１】
２個の湾曲した板材（２）の端部同士をバンド部材（３）で連結した開脚防止具（１）。
【請求項２】
請求項１記載の開脚防止具と共に用いられるひざ掛けであって、布体（４）の上部に袋部（５）を設け、当該袋部（５）に開脚防止具（１）を緩挿自在としたひざ掛け（６）。
【請求項３】
請求項１記載の開脚防止具と共に用いられるひざ掛けであって、布体（４）に、中央部が湾曲した形状を呈し両端が平板状の板材である係止部材（７）を複数設けて構成したひざ掛け（６）。
【考案の詳細な説明】
【技術分野】
【０００１】
本考案は着座時に、閉じた両膝が離れ、開脚してしまうことを防止するための補助具及び当該補助具と共に用いられるひざ掛けに関する。
【背景技術】
【０００２】
特許文献１には、膝掛け布の中央に帯布が取り付けられた開脚防止帯が開示されている。
【０００３】
特許文献２には、透明なストラップにフックを設けた膝リングが開示されている。
【０００４】
特許文献３には、ベルトに留め具を設けた開脚防止具が開示されている。
【０００５】
特許文献４には、サイズ調整具を設けた、膝押さえベルトが開示されている。
【先行技術文献】
【特許文献】
【０００６】
【特許文献１】特開２００５−１７９８１６号公報
【特許文献２】登録実用新案公報第３１０４５００号
【特許文献３】登録実用新案公報第３０９２８２４号
【特許文献４】登録実用新案公報第３０７０１５４号
【考案の概要】
【考案が解決しようとする課題】
【０００７】
例えば電車内での着座時やオフィス内での着座時等には、マナーとして膝を閉じた状態で座ることが求められることがある。また、膝を閉じた状態のほうが、脚を開いて座るよりも見た目が美しいことから、膝を閉じた状態で座ることを望む女性も多い。
【０００８】
ところが、膝を閉じて座るためには、内股の筋肉である内転筋に力を入れる必要があり、長時間に渡りかかる姿勢を取り続けることは肉体的負担が大きい。
【０００９】
そこで本考案は、膝を閉じた状態を維持することを可能とする開脚防止具、及び当該開脚防止具と共に用いられるひざ掛けを提供することを目的とする。
【課題を解決するための手段】
【００１０】
上記の目的を達成する本考案の構成は次の通りである。
【００１１】
（１）  請求項１に記載の開脚防止具は、２個の湾曲した板材の端部同士をバンド部材で連結して構成した。
【００１２】
（２）  請求項２に記載のひざ掛けは、布体の上部に袋部を設け、当該袋部に請求項１記載の開脚防止具を緩挿自在となるよう構成した。
【００１３】
（３）  請求項３に記載のひざ掛けは、布体に請求項１記載の開脚防止具を緩挿自在な係止部材を設けて構成した。
【考案の効果】
【００１４】
上記のように構成される本考案が、如何に作用して課題を解決するかを図面を参照しながら概説する。
【００１５】
図２は本考案にかかる開脚防止部１の使用状態を示すものであり、図中７は座席、８は着席者の脚を示すものである。
【００１６】
開脚防止具１は、湾曲形状を呈する一対の板材２，２の下部を、着席時の太ももの下に挟み込んで使用するものであり、着席者の自重により板材２がズレることが防止される。しかも、一対の板材２，２の上部はバンド部材３により連結されていることから、板材２，２はその上部においても一定の距離が保たれ、つまりは、脚が開かないように力を入れないでも、着席者の両足８，８が開いてしまうことを抑止可能となるのである。
【００１７】
図３に示すように、開脚防止具１は、板材２同士を嵌めこむことで、コンパクトに収納可能となる。すなわち、袋に入れ、或るいはそのままでバッグ内に納め、容易に持ち運びが可能となるのである。
【００１８】
図４は、開脚防止具１を袋部５内に収容して使用する、ひざ掛け６を示すものである。図５に示すように、袋部５内に開脚防止具１を緩挿・収容し、そのうえで開脚防止具１を着席者の足に着用すれば、足が開くことを防止可能であるのみならず、ひざ掛けによる保温効果を得ることが可能となる。
【００１９】
図６は請求項３に記載のひざ掛け６を示すものである。袋部５に代え係止部材７が設けられており、該係止部７に開脚防止具１を緩挿し、そのうえで開脚防止具１を着席者の足に着用すれば、足が開くことを防止可能であるのみならず、ひざ掛けによる保温効果を得ることが可能となる。しかも、係止部７を設ける位置を、図６に示すように布体４の略中央部にすれば、ひざ掛け６を着用者の太もも上部、或るいは腰付近まで掛けることが可能となり、保温効果がより高まるものである。
【００２０】
また、開脚防止具１が外部に現れないことから、開脚防止具１を使用していることを他人に知られることを防げるという利点も有するものである。
【００２１】
かようにして、本考案によれば、コンサート会場や美容室、公共の乗物の中、オフィスの会議時、歯科や病院、介護時、レストランにおける食事時等、様々な場面で、長時間安心して、且つ、疲労を軽減し、しかもエチケットを守りながら座ることが可能な、開脚防止具を提供することが可能となるのである。
【図面の簡単な説明】
【００２２】
【図１】本考案の斜視図
【図２】本考案の使用状態を示す説明図
【図３】収納時の状態を示す説明図
【図４】請求項２記載のひざ掛けの斜視図
【図５】請求項２記載の考案の使用状態を示す説明図
【図６】請求項３記載のひざ掛けの斜視図
【考案を実施するための形態】
【００２３】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２４】
図１に示すように本考案に係る開脚防止具１は、２個の湾曲した板材２の端部同士をバンド部材３で連結して構成されるものである。
【００２５】
板材２は人間の太ももの側面と略類似する湾曲形状に形成することが好ましい。材質は樹脂、木材、金属等任意の素材を利用可能である。
【００２６】
バンド部材３は、板材２，２の上部間に渡り設けられるものであり、板材２への取付方法は接着や鋲着等が採用可能である。素材は布や樹脂等を利用可能である。
【００２７】
請求項２記載に係るひざ掛け６は、図４に示されるように、布体４の上部を折り返し縫いして、袋部５が形成されるものである。袋部５は、開脚防止具１を緩挿可能な程度の大きさに形成されるものである。
【００２８】
請求項３記載に係るひざ掛け６は、図５に示されるように、布体４に係止部材７が複数設けられるものである。係止部材７の形状は中央が湾曲しており、両端が平板状の板材であり、湾曲部において、開脚防止具１が緩挿されるものである。
【００２９】
ひざ掛け６の素材は、一般的なひざ掛けと同様に、毛、綿、化繊等を利用可能である。
【実施例】
【００３０】
開脚防止具１を構成する板材２は、幅３０ｍｍ程度、厚み３〜５ｍｍ程度、湾曲面の長さ２２０ｍｍ〜２５０ｍｍ程度に形成することが好ましい。
【００３１】
ひざ掛け６を構成する布体４には、ギャザーを入れたりフリルを装備せしめれば、ファッショ性に優れたものとなる。大きめのフリルをつければ、より足を隠すことが可能となり、万全なエチケット対策が可能となる。
【符号の説明】
【００３２】
１・・開脚防止具
２・・板材
３・・バンド部材
４・・布体
５・・袋部
６・・ひざ掛け
７・・係止部材
【図１】
0003185251.tif 000003
【図２】
0003185251.tif 000004
【図３】
0003185251.tif 000005
【図４】
0003185251.tif 000006
【図５】
0003185251.tif 000007
【図６】
0003185251.tif 000008